(57)【要約】【課題】マスクの外側からの塵やホコリ、花粉などの異物を効率良く吸着し、かつ、使用者が湿った空気を長時間吸気できる十分な量の液剤が保持され、使用者が息苦しくなく、顔に柔軟に密着できるようにする。【解決手段】マスク用フィルタ１は、吸水性シート２と、高空隙シート３，４とを積層したものである。吸水性シート２は、例えば吸水性不織布で形成されており、吸水性繊維を含有する。高空隙シート３，４は、該吸水性シート２の表面及び裏面に積層し、前記吸水性シート２に液剤を保持させる。高空隙シート３，４は、毛細管効果がなく且つシート状の形態を保つことが可能となるように、空隙率を８０％〜９８％の範囲にしている。マスク用フィルタ１は、マスクのフィルタポケット部に収納されて使用される。【選択図】　図１
2004073227.tif 000002
【特許請求の範囲】
【請求項１】
吸水性繊維を含有する吸水性シートと、
該吸水性シートの表面及び裏面に積層する合成繊維からなる高空隙シートと、
を具備したことを特徴とするマスク用フィルタ。
【請求項２】
口や鼻を覆う通気性のあるシート材からなるマスク本体部と、
該マスク本体部に設けられ、顔面に装着するための装着部と、
前記マスク本体部に設けられ、液剤を含浸させたマスク用フィルタを着脱自在に収納するフィルタポケット部と、
を具備し、前記フィルタポケット部のポケット内側における前記マスク用フィルタが当接する面両面に合成繊維からなる高空隙シートを設けたことを特徴とするマスク。
【請求項３】
吸水性繊維を含有する吸水性シートと、液剤を保持させた該吸水性シートの片面に合成繊維からなる高空隙シートを積層したマスク用フィルタと、
口や鼻を覆う通気性のあるシート材からなるマスク本体部と、
前記マスク本体部に設けられ、前記マスク用フィルタを着脱自在に収納するフィルタポケット部と、
を具備し、前記フィルタポケット部のポケット内側の面の内、前記マスク用フィルタの吸水面が当接する面を合成繊維からなる高空隙シートで形成したことを特徴とするマスク。
【請求項４】
前記フィルタポケット部は、ポケット内側の口元側の面を合成繊維からなる高空隙シートで形成し、且つポケット外側の口元側の面に起毛処理を施したことを特徴とする請求項２または３に記載のマスク。
【請求項５】
前記高空隙シートは、空隙率が８０％〜９８％の範囲にあることを特徴とする請求項１，２，３のいずれか一つに記載のマスク用フィルタ。
【請求項６】
前記高空隙シートは、通気度が１３５ｃｃ／ｓｅｃ／ｃｍ２以上であることを特徴とする請求項５に記載のマスク用フィルタ。
【請求項７】
前記高空隙シートは、合成繊維からなる疎水性不織布からなることを特徴とする請求項１，２，３のいずれか一つに記載のマスク用フィルタ。
【発明の詳細な説明】
【０００１】
【発明の属する技術分野】
本発明は、マスクの内側に重ねて、或いはマスクに設けられたポケットに収納して使用するマスク用フィルタ及びマスクに係り、特に液剤を保持したウェットタイプのマスク用フィルタ及び当該フィルタを収納するポケットを口元側に設けたマスクに関する。
【０００２】
【従来の技術】
従来、マスク本体に、又はマスクに別途設けたフィルタ部材等に水分を保持させた部材を設けることで、水分を含んだ空気を吸入可能にする方法が知られている。また、前記フィルタ部材等に水分が保持されていることで、塵やホコリ、花粉などを効率よく吸着させることも知られている。
【０００３】
例えば、マスク用フィルタについて実開昭６３−１８６４４８号公報には、通気性の平面状体物にて形成されたマスク本体の内面側、または内部に、既に水を含んだ高吸水性ポリマーを内装する疎水性繊維シートを装着したことを特徴とするマスクが記載されている。
【０００４】
また、マスクについて特開２００１−１７８８３７号公報には、外気を吸いこむための通気部を塞ぐように通気性の保湿部材をマスク本体に着脱自在に固定するための保湿部材固定手段からなり、保湿部材を取り付けた場合に肌に直接触れないようにしてなることを特徴とするマスクが記載されている。同様に実用新案登録第３０６１２９１号公報には、表面にガーゼを備えた有孔板からなる表側隔板と、裏面に裏ガーゼを備えた有孔板からなる裏側隔板を、それぞれの一側部を支点として他側部が開閉するように連結し、両隔板間に、液体を含浸できかつ通気性を有する保液体を取脱可能に介在させたことを特徴とするマスクが記載されている。
【０００５】
【発明が解決しようとする課題】
上述したように高吸水性樹脂を塗布したシート又は高吸湿性樹脂を含有させた繊維のみを使用したシートを、喉の乾燥を緩和する目的でマスクの口元側にあてて水分補給した場合、シートが濡れているため口、鼻などシートが接触する面が濡れてしまい装着感が悪く、口紅や化粧をしていた場合は化粧が崩れてしまうなどの問題があった。また、当該シートを口元側ではなくマスク本体のガーゼ間に入れた場合は、水分がマスク本体に吸収されてしまい、湿潤状態の持続時間が短いという問題があった。
【０００６】
また、水分を含んだシートを単にガーゼ等の素材でマスクに設けたポケットに入れた場合には、前記のように水分がマスク本体に吸収されてしまい、湿潤状態の持続時間が短いという問題があった。さらに有孔板の間にシートを挟んだ場合には、シートの湿潤状態は比較的長くなる見通しはあるが、板であるため顔の曲面に密着しにくく装着感が悪いばかりでなく、マスクと顔との隙間から外気が入り込んでしまいマスク本来の機能が果たせないことがあった。
【０００７】
すなわち、従来の技術においては、ウェットフィルタなど水分を含んだシートをマスクに装着した場合にシートが直接顔に接触し使用感が悪かったり化粧落ちするなどの問題があり、マスクの間に挟んだ場合には湿潤状態を短時間しか保てないことが多く、仮に有孔板の間に挟み長時間湿潤状態を保てたとしてもマスクが顔に密着しにくく、マスクと顔の間から外気が入り込むなどマスク本来の機能が果たせない場合があった。
【０００８】
本発明は上述したような従来技術の持つ問題点に鑑みてなされたものであり、マスクの外側からの塵やホコリ、花粉などの異物を効率良く吸着し、かつ、使用者が湿った空気を長時間吸気できる十分な量の液剤が保持され、使用者が息苦しくなく、顔に柔軟に密着でき、口元や顔が濡れないため使用感が良く化粧落ちしない、快適なマスク用フィルタ及びマスクを提供することを目的とする。
【０００９】
【課題を解決するための手段】
前記目的を達成するため請求項１に記載のマスク用フィルタは、吸水性繊維を含有する吸水性シートと、該吸水性シートの表面及び裏面に積層する合成繊維からなる高空隙シートと、を具備したことを特徴とする。
【００１０】
請求項２記載のマスクは、口や鼻を覆う通気性のあるシート材からなるマスク本体部と、該マスク本体部に設けられ、顔面に装着するための装着部と、前記マスク本体部に設けられ、液剤を含浸させたマスク用フィルタを着脱自在に収納するフィルタポケット部と、を具備し、前記フィルタポケット部のポケット内側における前記マスク用フィルタが当接する面両面に合成繊維からなる高空隙シートを設けたことを特徴とする。
【００１１】
請求項３記載のマスクは、吸水性繊維を含有する吸水性シートと、液剤を保持させた該吸水性シートの片面に合成繊維からなる高空隙シートを積層したマスク用フィルタと、口や鼻を覆う通気性のあるシート材からなるマスク本体部と、前記マスク本体部に設けられ、前記マスク用フィルタを着脱自在に収納するフィルタポケット部と、を具備し、前記フィルタポケット部のポケット内側の面の内、前記マスク用フィルタの吸水面が当接する面を合成繊維からなる高空隙シートで形成したことを特徴とするマスク。
【００１２】
請求項４記載のマスクは、請求項２または３に記載のマスクであって、前記フィルタポケット部は、ポケット内側の口元側の面を合成繊維からなる高空隙シートで形成し、且つポケット外側の口元側の面に起毛処理を施したことを特徴とする請求項２または３に記載のマスク。
【００１３】
請求項５に記載のマスク用フィルタは、請求項１，２，３のいずれか一つに記載のマスク用フィルタであって、前記高空隙シートは、空隙率が８０％〜９８％の範囲にあることを特徴とする。
【００１４】
請求項６に記載のマスク用フィルタは、請求項５に記載のマスク用フィルタであって、前記高空隙シートは、通気度が１３５ｃｃ／ｓｅｃ／ｃｍ２以上であることを特徴とする。
【００１５】
なお、本発明で用いている空隙率（Ｖ／Ｖ％）とは、織布または不織布の単位体積に占める素材以外の空間が占める比率で表される。この場合、空隙率は以下の式（１）に示すように、マスクおよびマスク用フィルタに用いられる織布または不織布の縦×横×厚みで算出される体積Ａから、体積Ａの織布または不織布重量Ｂを織布または不織布の比重で除して算出された体積Ｃを減じて表記したものが用いられる。
【００１６】
空隙率（Ｖ／Ｖ％）＝（体積Ａ−体積Ｃ）／体積Ａ×１００　　…（１）
但し、
体積Ａ：織布または不織布の縦×横×厚みで算出される体積（ｃｃ）
重量Ｂ：体積Ａの織布または不織布の重量（ｇ）
体積Ｃ：重量Ｂを織布または不織布の比重で除して得られる体積（ｃｃ）
である。
【００１７】
本発明で用いている空隙率としては、毛細管効果が働きにくく且つシート状の形態を保つことが可能な８０％〜９８％が好ましく、さらに好ましくは８３％〜９６％が良い。空隙率が８０％未満では、空隙率が低く繊維が密になり布全体が毛細管効果を強く発揮しするために通常マスクに用いられるガーゼと同様に吸水してしまい、ウェットフィルタとしてのマスク用フィルタが早期に乾燥して、長時間湿潤状態を維持させることができない。空隙率が８３％〜９６％の範囲にあると、ガーゼよりも２割以上吸水性が低く湿潤状態を長時間にわたり維持することができる。空隙率が９８％を超えると織布または不織布がシート状の形態を保つことが難しい。
【００１８】
また、本発明で用いている通気度とは、単位時間当たりの通気量で表される。
このように構成された請求項１乃至３記載のマスクおよびマスク用フィルタによれば、メントール、エタノール、精油、香料等の水溶液を含浸させたマスク用フィルタをマスクのフィルタポケット部にセットした場合、フィルタポケット部やマスク本体に前記水溶液が吸収されにくいため、湿潤状態を長時間維持することが可能となる。このため使用者は湿った空気を長時間にわたって吸入できる。
また口元が濡れないため、化粧落ちすることもなく、快適に使用できる。
【００１９】
請求項４記載のマスクによれば、口元側の面の織布または不織布に起毛処理を施してあるため肌触りが良く快適に使用できる。
【００２０】
請求項５記載のマスク用フィルタ及びマスクによれば、前記高空隙シートの空隙率を８０％〜９８％の範囲としているため、織布または不織布がシート状の形態を保ちつつ、ガーゼよりも２割以上吸水性が低いため湿潤状態を長時間にわたり維持することができる。
【００２１】
請求項６記載のマスク用フィルタ及びマスクによれば、通気性を１３５ｃｃ／ｓｅｃ／ｃｍ２以上にしているため、従来のマスク使用者の不満点として挙がる息苦しさを使用者が感じるのを防止できる。
【００２２】
【発明の実施の形態】
以下、本発明の実施の形態を図面を参照して説明する。
図１及び図２は本発明の第１の実施の形態に係り、図１はマスク用フィルタを示す斜視図、図２は図１はマスク用フィルタを収納するマスクを示す斜視図である。
【００２３】
図１において、マスク用フィルタ１は、吸水性シート２と、高空隙シート３，４とを積層したものである。
【００２４】
吸水性シート２は、例えば吸水性不織布で形成されており、吸水性繊維を含有する。
【００２５】
高空隙シート３，４は、該吸水性シート２の表面及び裏面に積層し、前記吸水性シート２に液剤を保持させるようになっている。
【００２６】
高空隙シート３，４は、毛細管効果が働きにくく且つシート状の形態を保つことが可能となるように、空隙率を８０％〜９８％の範囲にしている。
【００２７】
このようなマスク用フィルタ１は、図２に示すマスク５のフィルタポケット部８に収納されて使用される。
【００２８】
図２において、マスク５は、マスク本体部６と、該マスク本体部６の両端部に設けた耳掛け部７と、フィルタポケット部８とを有している。
【００２９】
マスク本体部６及びフィルタポケット部８は、ガーゼ等織布や不織布等の繊維シートを複数枚重ねた通気性のあるシート材から形成されている。
【００３０】
耳掛け部７は、該マスク本体部６に設けられ顔面に装着するための装着部である。
【００３１】
マスク用フィルタ１の使用方法を以下に説明する。
まず、使用者は、前記マスク５のフィルタポケット部８にマスク用フィルタ１を収納し、使用者の口元にフィルタポケット部８を当ててマスク５を装着する。
この場合、吸水性シート２に保持された液剤は、揮発し湿った空気としてフィルタポケット部８を介して使用者の口元に向かうが、高空隙シート３，４により直接液剤として口にあたることがなく、使用者にとって快適な装着感を与えることができる。
【００３２】
ここで、高空隙シート３，４としては、合成樹脂繊維である必要があるが疎水性繊維を主に含むことが好ましいものの、高空隙率であれば、疎水性繊維のみで構成されても良く、また親水性繊維のみで構成されても良く、さらには疎水性繊維と親水性繊維の混紡でも良い。
【００３３】
合成樹脂繊維でない天然繊維のコットン、麻、羊毛などは不向きである。
この疎水性繊維は、ポリオレフィン系樹脂を少なくとも表面繊維とした繊維が用いられる。このポリオレフィン系樹脂としては、ポリプロピレン（ＰＰ）、高密度ポリエチレン（ＨＤＰＥ）、ＰＰ／ポリ４　メチルペンテン　１（ＰＭＰ）、ＰＭＰ／ＨＤＰＥおよびこれらのＨＤＰＥの代わりにポリメチル水素シロキサンのアルケンおよびプロピレン付加物（ＮＲ　Ｂ）などのオルガノポリシロキサン（ＯＳ）をＨＤＰＥに数重量％練りこんだ樹脂等が用いられる。
【００３４】
また親水性繊維としては、ポリアミド、アセチルセルロース、ブチルアセチルセルロース、ポリエステル、ナイロン、などが用いられる。
【００３５】
高空隙シート３，４は、空隙率が８０％〜９８％の範囲であれば、エンボス加工、起毛加工など加工手段を特に選ばない。
【００３６】
吸水性シート２としては、吸水性繊維を少なくとも含有していれば良く、親水性繊維、疎水性繊維を混紡していても良い。この吸水性繊維は、特に制限はなく、吸水性繊維が芯鞘構造であると、吸水性繊維が繊維状の吸水性樹脂からなるものに比べて繊維自体に腰があるため空隙を確保することが容易になるため好ましい。
【００３７】
前記吸水性繊維としては、直接ポリアクリル酸系ポリマ−を紡糸して製造したものも用いられる。
【００３８】
前記芯鞘構造の繊維には、例えば、芯物質として、低密度ポリエチレン、高密度ポリエチレン、ポリエチレンで代表される結晶性ポリオレフィンが用いられる。
【００３９】
前記芯鞘構造の繊維の鞘物質としては、熱可塑性エラストマーおよび、又は高吸水性樹脂を主成分とするものが用いられる。
【００４０】
前記熱可塑性エラストマーとしては、例えばオレフィン系、スチレン系、ポリエステル系、ジエン系、アミド系熱可塑性エラストマーを用いることができる。
前記高吸水性樹脂としては、例えばデンプン・アクリロニトリルグラフト重合体の加水分解物、カルボキシメチルセルロース架橋物の他、ポリアクリル酸塩系、ポリオキシエチレン系、ポリビニルアルコール・無水マレイン酸系、酢酸ビニル・アクリル酸塩系等多くの市販の吸水性樹脂の中から適宜選択して使用することができる。
【００４１】
なお、前記吸水性繊維への無機充填剤の添加は、繊維表面を粗面化し、乾燥状態のみならず吸水状態においても繊維のブロッキングや粘着を防止する効果を有するため適宜添加するのが好ましい。
【００４２】
吸水性シート２に保持される液剤としては、水であっても良く、より好ましくは喉に潤いを付与する薬効成分を水に混合しても良い。また、吸水性シート２に保持される液剤としては、喉に潤いを付与する薬効成分に代えて、鼻腔の通りを良くする薬効成分などを使用者が吸収して効能を得られる薬剤、例えばメントールを混合することができる。その他、防腐剤、香料、着色剤など適宜添加しうる。
【００４３】
前記高空隙シート３，４と吸水性シート２の色は、互いに異なるようにすることが好ましい。具体的には、高空隙シート３，４の色を白とし、吸水性シート２の色を青にする。このように異なる色を用いることで、使用者がマスク用フィルタ１をマスク５のフィルタポケット部８に挿入する作業において、高空隙シート３，４の面を持つことで、吸水性シート２の液剤に直接触れずに作業を行えることを理解させることができる。
【００４４】
また、マスク用フィルタ１は、吸水性繊維に親水性繊維または疎水性繊維の単一または混紡からなる繊維を積繊して、中間を吸水性層とし、表面及び裏面を高空隙率層とする吸水性シートとしても良い。
【００４５】
つまりマスク用フィルタ１に高空隙率層を設ける方法としては、高空隙シート３，４に吸水性シート２を積層する手段の他に、１枚のシートで吸水性繊維が偏った部分と高空隙率の部分を有する構造としても良く、この場合、この１枚のシートの各部分の境界では、吸水性シートと高空隙率シートが混合されたものとなり、厳密に層状に分離している必要はない。
【００４６】
このようにマスク用フィルタ１に高空隙率面を設けてマスク５のフィルタポケット部８に装着することで、使用者の口には含水したマスク用フィルタが接触せず、不快感なく、また長時間湿潤状態を保ったまま使用することが可能である。
【００４７】
以上、説明したように、第１の実施の形態によれば、マスク用フィルタ１は、表面及び裏面に空隙率の高いシート３，４を含み、吸水性繊維を含有する吸水性シート２を含むマスク用フィルタ１に液剤の水分を保持させたことにより、マスクの外側からの塵やホコリ、花粉などの異物を効率良く吸着し、かつ、使用者が湿った空気を呼気できる充分な量の水分が長時間保持され、同時に充分な通気度を保つことができるため、使用者に好印象を与えることができる。
【００４８】
さらに、図１のマスク用フィルタ１では、吸水性シート２の表面と裏面の両方に高空隙シート３，４を取り付ける３層構造を用いているので、マスク用フィルタ１は表面と裏面の両方の向きでマスクのフィルタポケット部８に装着可能になる。
【００４９】
マスク用フィルタ１は、フィルタポケット部を設けていないマスクであれば、口元側に当接させてそのままマスクを装着したり、マスクの布の隙間に保持させたり、マスクの口元側の面に両面粘着テープによって貼り付けることで装着するように構成してもよい。
【００５０】
マスク用フィルタ１は、マスクに装着せず、直接、耳掛け部を取り付けて使用するように構成してもよい。
【００５１】
図３は本発明の第２の実施の形態に係るマスクを示す斜視図、図４は図３のマスクを示す断面図、図５は図３のマスクの使用状態を示す説明図である。
【００５２】
図３および図４において、マスク１０は、ガーゼ等織布や不織布等の繊維シートを複数枚重ねたマスク本体部１１と、該マスク本体部１１の両端部に設けた耳掛け部１２と、フィルタポケット部１３とを有している。
【００５３】
マスク本体部１１は、口や鼻を覆う通気性のあるシート材から形成されている。
耳掛け部１２は、該マスク本体部１１に設けられ顔面に装着するための装着部である。具体的には、耳掛け部１２は、ゴム紐等を耳に掛けられるような形状にしたものである。
【００５４】
図４に示すように、前記フィルタポケット部１３は、前記マスク本体部１１の内側に設けられており、マスク用フィルタ２０が着脱自在に収納できるようになっている。
【００５５】
前記マスク用フィルタ２０は、吸水性繊維を含有する吸水性シートに前述した液剤を含浸させて形成されている。
【００５６】
前記マスク１０は、高空隙シートで形成されたポケット素材１５の四辺の内、例えば上辺を除いた三辺を前記マスク本体部１１側に縫い合わせることにより、例えば上辺側が開口したフィルタポケット部１３が形成されている。このフィルタポケット部１３の前記マスク本体部１１側は、高空隙シート１４が配置されている。
【００５７】
前記高空隙シート１４及びポケット素材１５は、図１に示した高空隙シート３，４と同様の素材が利用できる。
【００５８】
ポケット素材１５の着用時口元側になる面１６を肌触りが良くなるよう起毛処理してある合成繊維からなる織布または不織布を設けている。
【００５９】
このような構造により、本実施の形態では、前記マスク用フィルタ２０が当接する前記フィルタポケット部１３のポケット内側の２面を高空隙シートで形成している。
【００６０】
このようなマスク１０の使用方法を以下に説明する。
図５に示すように、使用者３０は、フィルタポケット部１３にマスク用フィルタ２０を収納し、マスク１０を装着する。この場合、マスク１０はポケット素材１５の通気性と肌触りが良い面１６が使用者３０の口に当たることになる。マスク用フィルタ２０に保持された液剤は、高空隙シートで形成されたポケット素材１５のにより直接口にあたらない構成となっているため、使用者３０にとって快適な装着感を有する。
【００６１】
ここで、具体的に、高空隙シート１４とポケット素材１５は、疎水性繊維を主に含むことが好ましいが、合成繊維からなる高空隙率のシートであれば、疎水性繊維のみで構成されても良く、また親水性繊維のみで構成されても良く、さらには疎水性繊維と親水性繊維の混紡でも良い。
【００６２】
この疎水性繊維は、ポリオレフィン系樹脂を少なくとも表面繊維とした繊維が用いられる。このポリオレフィン系樹脂としては、ポリプロピレン（ＰＰ）、高密度ポリエチレン（ＨＤＰＥ）、ＰＰ／ポリ４　メチルペンテン　１（ＰＭＰ）、ＰＭＰ／ＨＤＰＥおよびこれらのＨＤＰＥの代わりにポリメチル水素シロキサンのアルケンおよびプロピレン付加物（ＮＲ　Ｂ）などのオルガノポリシロキサン（ＯＳ）をＨＤＰＥに数重量％練りこんだ樹脂等が用いられる。
【００６３】
また親水性繊維としては、ポリアミド、アセチルセルロース、ブチルアセチルセルロース、ポリエステル、などが用いられる。
【００６４】
高空隙シート１４とポケット素材１５は、空隙率が８０％〜９８％であれば、エンボス加工、起毛加工など加工手段を特に選ばないが、特にポケット素材１５においては、口元に接触する側を起毛加工等により肌触りを良くしておくことが好ましい。
【００６５】
次に第２の実施の形態の効果を具体的な数値として説明する。
上記第２の実施の形態に係るマスク用フィルタ２０は、吸水性シートのみからなり、高空隙シートを積層していない不織布を用いた。
【００６６】
マスク１０については、ガーゼを９枚重ねたマスク本体部１１に対して、マスク側シート１８とポケット素材１９を合成樹脂繊維であって疎水性を有するポリプロピレン繊維からなり、空隙率は９１．９７％である不織布で形成して、マスク用フィルタ２０の湿潤状態の持続時間を検証してみた。
【００６７】
また、比較例として、上記と同じ吸水性シートを用いて、マスクをガーゼを９枚重ねたマスク本体部のガーゼ４枚目と５枚目の間に前記吸水性シートを設置して、マスク用フィルタの湿潤状態の持続時間を検証してみた。
【００６８】
なお、マスク用フィルタに含液させた液剤として水を用いた。
図６はこのような第２の実施の形態のマスク及び比較例のガーゼマスクにおける乾燥時間と含液率の検証結果を示すグラフである。
【００６９】
図６に示すように、マスク用フィルタの含液率が３３％に低下するまでに要した時間は、第２の実施の形態２に該当するマスクでは５時間、比較例として使用したマスクでは２時間５５分であった。
【００７０】
但し、含液率＝試験中のマスク用フィルタの重量／試験開始時の液剤を含液させたマスク用フィルタの重量×１００（％）である。
【００７１】
このことから、第２の実施の形態２のマスクでは、通常市販されているガーゼマスクに比べて１．７倍も乾燥させにくいものであることが分かる。
【００７２】
次に第３の実施の形態について説明する。
図７は本発明の第３の実施の形態に係るマスクを示す断面図である。
図７の第３の実施の形態の説明において、図３乃至図５に示した実施の形態と同様の構成要素に同じ符号を付して説明している。
【００７３】
図７において、第３の実施の形態では、マスク５０のフィルタポケット部５３は、マスク本体部１１の内側に設けられており、マスク用フィルタ６０が着脱自在に収納できるようになっている。
【００７４】
マスク用フィルタ６０は、吸水性繊維を含有する吸水性シート６１の片面に前述した液剤を保持させる高空隙シート６２を積層したものである。即ち、マスク用フィルタ６０は、高空隙シート６２を設けた面が高空隙面となり、この高空隙面の反対側の面が、吸水性シート６１を露出させた吸水面となっている。吸水性シート６１には前述した液剤を含浸させている。
【００７５】
前記マスク５０は、例えばガーゼで形成されたポケット素材５５の四辺の内、例えば上辺を除いた三辺をマスク本体部１１側に縫い合わせることにより、例えば上辺側が開口したフィルタポケット部５３が形成されている。このフィルタポケット部５３のマスク本体部１１側は、高空隙シート１４が配置されている。
【００７６】
このような構造により、フィルタポケット部５３は、前記マスク用フィルタ６０が当接するポケット内側の２面の内、マスク本体部１１側の面のみ高空隙シートで形成している。
【００７７】
このようなマスク５０の使用方法を以下に説明する。
使用者は、マスク用フィルタ６０の吸水面を高空隙シート１４に向け、フィルタポケット部１３にマスク用フィルタ６０を収納し、マスク５０を装着する。
【００７８】
第３の実施の形態のマスク５０によれば、マスク用フィルタ６０の吸水性シート６１の層に含浸された液剤の水分は、マスク用フィルタ６０の高空隙面から湿った空気としてフィルタポケット部５３のポケット素材５５を介して使用者の口元に向かうが、高空隙シート６２の空隙率が高いことからマスク用フィルタ６０の吸水性シート６１に含浸された水分が液剤のまま流出せず、一方、高空隙シート１４によりマスク用フィルタ６０に含浸された水分がマスク本体部１１に吸収されるのを防止できるので、第２の実施の形態と同様の効果が得られる。
【００７９】
尚、第３の実施の形態において、マスク用フィルタ６０の前記高空隙シート６２と吸水性シート６１の色は、互いに異なるようにすることが好ましい。具体的には、高空隙シート６２の色を白とし、吸水性シート６１の色を青にする。このように異なる色を用いることで、使用者がフィルタポケット部５３にマスク用フィルタ６０を収納した場合において、マスク用フィルタ６０の向きを確認しやすくすることができる。
【００８０】
マスク用フィルタ６０は、吸水性繊維に親水性繊維または疎水性繊維の単一または混紡からなる繊維を積繊して、一方の面を吸水性層とし、他方の面を高空隙率層とするシート材としてもよい。
【００８１】
マスク用フィルタ６０に高空隙率層を設ける方法としては、吸水性シート６１に高空隙シート６２にを積層する手段の他に、１枚のシートで吸水性繊維が偏った面と高空隙率面を有する構造としても良く、この場合、この１枚のシートの断面中央付近では吸水性シートと高空隙率シートが混合されたもので、厳密に層状に分離している必要はない。
【００８２】
次に第４の実施の形態について説明する。
図８は本発明の第４の実施の形態に係るマスクを示す断面図である。
図８の第４の実施の形態の説明において、図３乃至図７に示した実施の形態と同様の構成要素に同じ符号を付して説明している。
【００８３】
図８において、第４の実施の形態では、マスク７０のフィルタポケット部７３は、マスク本体部１１の内側に設けられており、マスク用フィルタ６０が着脱自在に収納できるようになっている。
【００８４】
マスク用フィルタ６０は、図７に示したものと同じものを用いているが、フィルタポケット部７３に装着する方向は、吸水性シート６１の側と高空隙シート６２の側を逆にしている。
【００８５】
前記マスク７０は、高空隙シートで形成されたポケット素材１５の四辺の内、例えば上辺を除いた三辺をマスク本体部１１側に縫い合わせることにより、例えば上辺側が開口したフィルタポケット部７３が形成されている。このフィルタポケット部７３のマスク本体部１１側は、高空隙シートを配置せず、マスク本体部１１のガーゼ等の布面が直接高空隙シート６２と接触するようにしている。
【００８６】
このような構造により、フィルタポケット部７３は、前記マスク用フィルタ６０が当接するポケット内側の２面の内、口元側の面のみ高空隙シートで形成している。
【００８７】
このようなマスク７０の使用方法を以下に説明する。
使用者は、マスク用フィルタ６０の吸水面をポケット素材１５に向け、フィルタポケット部７３にマスク用フィルタ６０を収納して、マスク７０を装着する。
【００８８】
このような構成によれば、図７に示した第２の実施の形態と同様の効果が得られる。
【００８９】
即ち、第３及び第４の実施の形態により、マスクは、前記フィルタポケット部のポケット内側の面の内、前記フィルタポケット部のポケット内側の面の内、前記マスク用フィルタの吸水面が当接する面を高空隙シートで形成するように構成すればよいことになる。
【００９０】
次に第４の実施の形態の効果を具体的な数値として説明する。
前記第４の実施の形態に係るマスク用フィルタ６０の吸水性シート６１については、具体的に、親水性繊維としてレイヨン１０％、アクリル系繊維２０％、ポリエステル６０％と、吸水性繊維としてポリアクリル酸系繊維１０％とからなる吸水性シートを用いる。高空隙シートとしてポリエステル１００％の親水性繊維の不織布を用い、吸水性シートの片面に積層しマスク用フィルタを形成している。
【００９１】
マスク７０については、ガーゼを９枚重ねたマスク本体部１１に対して、高空隙シート６２とポケット素材１５を表１に示す条件で組み合わせを種々変更して、マスク用フィルタ６０の湿潤状態の持続時間と空隙率について検証してみた。
マスク用フィルタ６０に含液させた液剤としては水を用いた。なお通気度の試験方法は、フラジール通気度試験（ＪＩＳ　Ｌ−１０９６）で行った。
【００９２】
【表１】
2004073227.tif 000003
尚、表１において、ブランクは、高空隙シート６２を設けずポケット素材１５にガーゼを用いた普通のガーゼマスクを使用している。
【００９３】
表１の検証結果を分析するため、高空隙シート６２とポケット素材１５の空隙率とマスク用フィルタ６０の単位時間あたりの重量変化（ｇ／ｈ）の関係を図９のグラフに示した。
【００９４】
図９のグラフにおいて、前記空隙率とマスク用フィルタ６０の単位時間あたりの乾燥重量は、ほぼ直線の関係にあることがわかり、空隙率が高いほどマスク用フィルタ６０が乾燥しにくいことがわかる。
【００９５】
またブランクの単位時間あたりの重量変化は、−０．３２８６（ｇ／ｈ）である。即ち、ブランクの単位時間あたりの乾燥重量は、０．３２８６（ｇ／ｈ）である。この数値と図９のグラフの結果を比較すると、空隙率が少なくとも８０％以上ないと高空隙シート６２とポケット素材１５を設けない場合との差である、マスク用フィルタの湿潤状態の持続効果が得られないことがわかる。
【００９６】
図９のグラフより、高空隙率であるほどマスク用フィルタが乾燥しにくいことが明らかとなった。しかし空隙率が１００％に近くなるほど、シートが疎の状態になり、現実的にシートとしての形状を保つことが困難にある。具体的には、空隙率が９８％を超えるとシート状の形態を保つことが難しいため好ましくない。
【００９７】
そこで本発明で用いられる高空隙シート６２とポケット素材１５の空隙率としては、８０％以上が好ましく、さらに好ましくは８３％〜９６％が良い。前述のように８０％未満では、空隙率が低く繊維が密になり布全体が毛細管効果を強く発揮するために吸水してしまい、マスク用フィルタの湿潤状態を長時間保つことができない。シートの空隙率が８５％〜９６％の範囲にあると、ガーゼよりも２割以上吸水性が低く湿潤状態を長時間にわたり維持することができるためマスク使用者の呼気の際に適度な湿り気を長時間与えることが可能となり、またシート状の形態を保つことができる。
【００９８】
また、表１の実施例１〜８で示した高空隙シート６２とポケット素材１５を設けたマスク７０にマスク用フィルタ６０を装着した上で、着用して息のしやすさを確認したところ、高空隙シート６２とポケット素材１５の通気性が、１３５ｃｃ／ｓｅｃ／ｃｍ２以上あったので息がしやすく快適に着用することができた。
【００９９】
以上、説明したように、第４の実施の形態のマスク７０によれば、マスク用フィルタ６０に保持された液剤は、湿った空気としてフィルタポケット部１３を介して使用者３０の口元に向かうが、ポケット素材１５の空隙率が高いことからマスク用フィルタ６０に含浸された水分が接触しにくいため、口元がぺちゃぺちゃした状態になるのを防止でき、この際特にポケット素材１５に疎水性繊維を用いることで口元をよりさらっとした状態にすることができる。さらにポケット素材１５の口元側にあたる部分を起毛加工することにより、肌触りが滑らかで快適に長時間使用することができる。さらに、高空隙シート６２の空隙率が高いことからマスク用フィルタ６０に含浸された水分がマスク本体部１１に吸収されるのを防止でき、湿潤状態の持続時間を延長できる。
【０１００】
【発明の効果】
以上述べたように本発明によれば、マスクの外側からの塵やホコリ、花粉などの異物を効率良く吸着し、かつ、使用者が湿った空気を呼気できる充分な量の液剤が長時間保持され、同時に充分な通気度を保つことができるため、使用者に好印象を与えることができる。
【図面の簡単な説明】
【図１】本発明の第１の実施の形態に係るマスク用フィルタを示す斜視図。
【図２】本発明の第２の実施の形態に係るマスクを示す斜視図。
【図３】本発明の第２の実施の形態に係るマスクを示す斜視図。
【図４】本発明の第２の実施の形態に係るマスクを示す断面図。
【図５】第２の実施の形態のマスクの使用状態を示す図。
【図６】本発明の第２の実施の形態のマスク及び比較例のガーゼマスクにおける乾燥時間と含液率の検証結果を示すグラフ。
【図７】本発明の第３の実施の形態に係るマスクを示す断面図。
【図８】本発明の第４の実施の形態に係るマスクを示す断面図。
【図９】本発明の第４の実施の形態の高空隙シートの空隙率と単位時間乾燥重量の関係を示すグラフ。
【符号の説明】
１　　マスク用フィルタ
２，３　　高空隙シート
４　　吸水性シート
５，１０　　マスク
６，１１　　マスク本体部
７，１２　　耳掛け部
８，１３　　フィルタポケット部
【図１】
2004073227.tif 000004
【図２】
2004073227.tif 000005
【図３】
2004073227.tif 000006
【図４】
2004073227.tif 000007
【図５】
2004073227.tif 000008
【図６】
2004073227.tif 000009
【図７】
2004073227.tif 000010
【図８】
2004073227.tif 000011
【図９】
2004073227.tif 000012